(57)【特許請求の範囲】
【請求項１】
貯蔵室内の温度を検知する温度検知部と、商用電源による電力供給が開始された際に前記温度検知部の検知温度が所定の報知温度よりも高温の場合に報知する停電報知部とを備え、前記停電報知部による報知を行う停電報知モードを出荷時にオフ設定し、前記温度検知部の検知温度が前記報知温度より低い所定温度よりも低温になった際に前記停電報知モードをオン設定したことを特徴とする冷蔵庫。
【請求項２】
貯蔵室内の温度を検知する温度検知部と、商用電源による電力供給が開始された際に前記温度検知部の検知温度が所定の報知温度よりも高温の場合に報知する停電報知部とを備え、前記停電報知部による報知を行う停電報知モードを出荷時にオフ設定し、前記貯蔵室を冷却する冷気を生成する冷却器の除霜運転が行われた際に前記停電報知モードをオン設定したことを特徴とする冷蔵庫。
【請求項３】
人体を検知する人体センサを備え、前記人体センサによる人体の非検知時に前記停電報知部による報知を停止することを特徴とする請求項１または請求項２に記載の冷蔵庫。
【請求項４】
前記停電報知部が複数の前記貯蔵室に対応する複数の貯蔵室アイコンと、停電を示す停電アイコンとを備え、前記報知温度よりも高温になった前記貯蔵室の前記貯蔵室アイコンと前記停電アイコンとを点灯して報知することを特徴とする請求項１〜請求項３のいずれかに記載の冷蔵庫。
【請求項５】
前記停電報知部が前記貯蔵室を開閉する扉のハンドルに沿って点灯して報知することを特徴とする請求項１〜請求項４のいずれかに記載の冷蔵庫。
【請求項６】
前記温度検知部の検知温度に応じて前記停電報知部の点灯色または点灯周期を可変したことを特徴とする請求項４または請求項５に記載の冷蔵庫。
【請求項７】
電池により電力供給して時刻を出力する時計部を備えるとともに前記停電報知部がブザーを有し、夜間の所定時間内で前記ブザーの鳴動を停止することを特徴とする請求項１〜請求項６のいずれかに記載の冷蔵庫。
【請求項８】
前記温度検知部の検知温度に応じて前記ブザーの鳴動周期を可変したことを特徴とする請求項７に記載の冷蔵庫。
【発明の詳細な説明】
【技術分野】
【０００１】
本発明は、一時停電の復帰時に報知を行う冷蔵庫に関する。
【背景技術】
【０００２】
従来の冷蔵庫は特許文献１に開示されている。この冷蔵庫は超低温保冷庫を構成し、商用電源の停電時に駆動される補助電源を備えている。商用電源が停電すると補助電源によって温度検出手段に電力を供給して貯蔵室の庫内温度を検出する。そして、庫内温度を報知するとともに停電中であることを報知する。これにより、停電の発生中であることを使用者が認知することができ、貯蔵物の廃棄等の停電時の対応を迅速に行うことができる。
【先行技術文献】
【特許文献】
【０００３】
【特許文献１】特開２００２−１３９２７４号公報（第３頁、第３図）
【発明の概要】
【発明が解決しようとする課題】
【０００４】
しかしながら、上記従来の冷蔵庫によると、商用電源の停電が解消して電源復帰されると停電の報知が停止される。このため、停電時に不在の使用者が停電によって貯蔵物の損傷が発生しても判別できない。従って、冷蔵庫の利便性が悪い問題があった。
【０００５】
一方、商用電源の電源復帰時に停電が発生したことを報知することが考えられる。しかしながら、停電が商用電源の瞬時電圧低下の場合は貯蔵物の損傷が発生していない場合がある。このため、瞬時電圧低下が頻繁に発生する地域では使用者が貯蔵物の廃棄等を行うべきか否かを毎回判断する必要があり、依然として冷蔵庫の利便性が悪い問題がある。
【０００６】
本発明は、利便性を向上できる冷蔵庫を提供することを目的とする。
【課題を解決するための手段】
【０００７】
上記目的を達成するために本発明は、貯蔵室内の温度を検知する温度検知部と、商用電源による電力供給が開始された際に前記温度検知部の検知温度が所定の報知温度よりも高温の場合に報知する停電報知部とを備えたことを特徴としている。
【０００８】
この構成によると、商用電源の停電が発生して電源復帰すると、温度検知部により貯蔵室の温度が検知される。貯蔵室の温度が所定の報知温度よりも高温になっていると、停電報知部によって報知される。これにより、使用者は停電によって貯蔵物の損傷が発生した可能性があることを認知することができる。
【０００９】
また本発明は、上記構成の冷蔵庫において、前記停電報知部による報知を行う停電報知モードを出荷時にオフ設定し、前記温度検知部の検知温度が前記報知温度以下の所定温度よりも低温になった際、または前記貯蔵室を冷却する冷気を生成する冷却器の除霜運転が行われた際に前記停電報知モードをオン設定したことを特徴としている。
【００１０】
この構成によると、冷蔵庫の出荷段階で停電報知モードがオフ設定され、停電が発生しても停電報知部による報知が行われない。冷蔵庫は商用電源から電力供給され、冷却器により生成された冷気によって貯蔵室の冷却が開始される。例えば、貯蔵室が報知温度よりも低温になると、停電報知モードがオン設定される。これにより、停電の電源復帰時に貯蔵室が報知温度よりも高温であると、停電報知部により報知される。冷却器の除霜運転が行われた際に停電報知モードをオン設定してもよい。
【００１１】
また本発明は、上記構成の冷蔵庫において、人体を検知する人体センサを備え、前記人体センサによる人体の非検知時に前記停電報知部による報知を停止することを特徴としている。この構成によると、停電の電源復帰時に貯蔵室が報知温度よりも高温であると、停電報知部により報知される。この時、人体センサによって冷蔵庫の近傍に人体が検知されない場合に停電報知部の報知が停止される。
【００１２】
また本発明は、上記構成の冷蔵庫において、前記停電報知部が複数の前記貯蔵室に対応する複数の貯蔵室アイコンと、停電を示す停電アイコンとを備え、前記報知温度よりも高温になった前記貯蔵室の前記貯蔵室アイコンと前記停電アイコンとを点灯して報知することを特徴としている。
【００１３】
この構成によると、例えば、冷蔵室を示す冷蔵室アイコン、冷凍室を示す冷凍室アイコン、停電を示す停電アイコンが停電報知部に設けられる。停電の電源復帰時に冷蔵室が報知温度（例えば、１０℃）よりも高温であると、冷蔵室アイコン及び停電アイコンが点灯する。停電の電源復帰時に冷凍室が報知温度（例えば、−１０℃）よりも高温の場合に冷凍室アイコン及び停電アイコンが点灯する。
【００１４】
また本発明は、上記構成の冷蔵庫において、前記停電報知部が前記貯蔵室を開閉する扉のハンドルに沿って点灯して報知することを特徴としている。この構成によると、停電の電源復帰時に貯蔵室が報知温度よりも高温であると、ハンドルに沿って報知光が点灯する。
【００１５】
また本発明は、上記構成の冷蔵庫において、前記温度検知部の検知温度に応じて前記停電報知部の点灯色または点灯周期を可変したことを特徴としている。
【００１６】
また本発明は、上記構成の冷蔵庫において、電池により電力供給して時刻を出力する時計部を備えるとともに前記停電報知部がブザーを有し、夜間の所定時間内で前記ブザーの鳴動を停止することを特徴としている。この構成によると、停電の電源復帰時に貯蔵室が報知温度よりも高温であるとブザーが鳴動する。この時、時計部により出力される時刻が夜間の所定時間内の場合にブザーの鳴動が停止される。
【００１７】
また本発明は、上記構成の冷蔵庫において、前記温度検知部の検知温度に応じて前記ブザーの鳴動周期を可変したことを特徴としている。
【発明の効果】
【００１８】
本発明によると、商用電源による電力供給が開始された際に温度検知部により検知される貯蔵室の温度が報知温度よりも高温の場合に停電報知部により報知する。これにより、停電の電源復帰時に貯蔵物の損傷が発生していない低温の場合に報知が行われず、貯蔵物の損傷が発生した可能性がある場合に報知が行われる。このため、瞬時電圧低下が頻繁に発生する地域において使用者が停電発生毎に対応を判断する必要がなく、冷蔵庫の利便性を向上することができる。
【図面の簡単な説明】
【００１９】
【図１】本発明の実施形態の冷蔵庫を示す側面断面図
【図２】本発明の実施形態の冷蔵庫の冷蔵室の扉のハンドルを示す上面断面図
【図３】本発明の実施形態の冷蔵庫の冷蔵室の操作パネルを示す正面図
【図４】本発明の実施形態の冷蔵庫の構成を示すブロック図
【図５】本発明の実施形態の冷蔵庫の動作を示すフローチャート
【図６】本発明の実施形態の冷蔵庫の動作を示すフローチャート
【発明を実施するための形態】
【００２０】
以下に本発明の実施形態を図面を参照して説明する。図１は一実施形態の冷蔵庫を示す側面断面図である。冷蔵庫１は商用電源に接続して電力供給され、断熱箱体２の上方から順に冷蔵室３、冷凍室４、野菜室５が設けられる。冷蔵室３は貯蔵物を冷蔵保存し、冷凍室４は貯蔵物を冷凍保存する。野菜室５は冷蔵室３よりも高温に維持され、野菜等の貯蔵物を冷蔵保存する。
【００２１】
冷蔵室３は一端を枢支される回動式の扉３ａによって開閉される。扉３ａの枢支側と反対の端部には上下方向に延びるハンドル２１（図２参照）が設けられる。扉３ａの前面には操作パネル４０（図３参照）が配される。冷凍室４及び野菜室５はそれぞれ収納ケース（不図示）と一体に形成される引出式の扉４ａ、５ａによって開閉される。
【００２２】
冷凍室４及び冷蔵室３の背面にはダンパ１５を介して連通する第１、第２冷気通路７、８が設けられる。第１冷気通路７には冷却器１１及び送風機１２が配され、冷凍室４に臨む吐出口７ａが開口する。第２冷気通路８には冷蔵室３に臨む吐出口８ａが開口し、イオン発生装置１６が配される。
【００２３】
野菜室５の後方には機械室６が設けられ、機械室６内には冷凍サイクルを運転する圧縮機１０が設置される。圧縮機１０には冷媒が流通する冷媒管（不図示）を介して凝縮器（不図示）、キャピラリチューブ（不図示）、冷却器１１が順に接続され、圧縮機１０に戻る。これにより、冷凍サイクルが運転され、冷却器１１が第１冷気通路７を流通する空気と熱交換して冷気が生成される。
【００２４】
送風機１２を駆動すると第１冷気通路７に空気が流通する。この時、ダンパ１５を開くと第２冷気通路８に冷気が流通する。第１冷気通路７及び第２冷気通路８を流通する冷気はそれぞれ吐出口７ａ、８ａを介して冷凍室４及び冷蔵室３に吐出される。
【００２５】
冷凍室４には冷気を第１冷気通路７に戻す戻り口（不図示）が設けられる。冷蔵室３には野菜室５に連通する連通路（不図示）が導出され、野菜室５には冷気を第１冷気通路７に戻す戻り口（不図示）が設けられる。
【００２６】
イオン発生装置１６は放電電極（不図示）を有し、高電圧を印加した放電電極がコロナ放電してイオンを発生する。放電電極の印加電圧が正電圧の場合はイオンが空気中の水分と結合して主としてＨ＋（Ｈ２Ｏ）ｍから成るプラスイオンを発生する。電極の印加電圧が負電圧の場合はイオンが空気中の水分と結合して主としてＯ２−（Ｈ２Ｏ）ｎから成るマイナスイオンを発生する。ここで、ｍ、ｎは任意の自然数である。Ｈ＋（Ｈ２Ｏ）ｍ及びＯ２−（Ｈ２Ｏ）ｎは空気中の浮遊菌や臭い成分の表面で凝集してこれらを取り囲む。
【００２７】
そして、式（１）〜（３）に示すように、衝突により活性種である［・ＯＨ］（水酸基ラジカル）やＨ２Ｏ２（過酸化水素）を微生物等の表面上で凝集生成して浮遊菌や臭い成分を破壊する。ここで、ｍ’、ｎ’は任意の自然数である。従って、プラスイオン及びマイナスイオンを発生して冷気とともに吐出口８ａから吐出することにより、冷蔵室３及び野菜室５の除菌及び脱臭を行うことができる。
【００２８】
Ｈ＋(Ｈ２Ｏ)ｍ＋Ｏ２−(Ｈ２Ｏ)ｎ→・ＯＨ＋1/2Ｏ２＋(ｍ＋ｎ)Ｈ２Ｏ  ・・・（１）
Ｈ＋(Ｈ２Ｏ)ｍ＋Ｈ＋(Ｈ２Ｏ)ｍ’＋Ｏ２−(Ｈ２Ｏ)ｎ＋Ｏ２−(Ｈ２Ｏ)ｎ’
→ 2・ＯＨ＋Ｏ２＋(ｍ＋ｍ'＋ｎ＋ｎ')Ｈ２Ｏ ・・・（２）
Ｈ＋(Ｈ２Ｏ)ｍ＋Ｈ＋(Ｈ２Ｏ)ｍ’＋Ｏ２−(Ｈ２Ｏ)ｎ＋Ｏ２−(Ｈ２Ｏ)ｎ’
→ Ｈ２Ｏ２＋Ｏ２＋(ｍ＋ｍ'＋ｎ＋ｎ')Ｈ２Ｏ ・・・（３）
【００２９】
図２は冷蔵室３の扉３ａの要部を示す上面断面図である。扉３ａは発泡断熱材（不図示）が充填される扉本体部３０の枢支側に対して反対側の側面３０ａに上下方向に延びるハンドル３１が取り付けられる。ハンドル３１はアルミニウムの押し出し成形等によって形成され、ハンドル３１を把持して扉３ａが開かれる。ハンドル３１の前面には後述する導光部材３４に対して傾斜して対向する反射面３１ａが設けられる。また、ハンドル２１の前面には反射面３１ａを覆う透明の保護カバー（不図示）が配される。
【００３０】
扉本体部３０の側面３０ａには溝部３０ｂが凹設され、溝部３０ｂ内には透明樹脂により形成される導光部材３４が配される。導光部材３４はハンドル２１に沿って上下に延び、下端面の入射面（不図示）に対向して多色ＬＥＤにより形成された光源３３が配される。
【００３１】
光源３３は冷蔵庫１の運転状態に応じて異なる発光色や発光周期で発光する。光源３３から出射された光は入射面から導光部材３４に入射して上方に導光する。そして、導光部材３４の側方に面した出射面３４ａに臨界角よりも大きい入射角で入射した光が矢印Ａ１に示すように出射される。出射面３３ａから出射された光は出射面３３ａに対向する反射面３１ａで矢印Ａ２に示すように前方に反射する。従って、冷蔵庫１の運転状態を報知する報知光をハンドル３１に沿って点灯する点灯装置３２が光源３３及び導光部材３４によって構成される。
【００３２】
図３は扉３ａの前面に設けた操作パネル４０の正面図を示している。操作パネル４０は表示パネル４２及び複数のアイコン４３を有した表示部４１と、複数の操作キーを有する操作部４５とを備えている。表示パネル４２は液晶パネル等により形成され、設定温度や、各運転モード設定のオンオフ状態を「ＯＮ」、「ＯＦＦ」等により表示する。
【００３３】
アイコン４３は冷蔵室アイコン４３ａ、冷凍室アイコン４３ｂ、イオン発生モードアイコン４３ｃ、急速冷凍モードアイコン４３ｄ、バケーションモードアイコン４３ｅ、チャイルドロックアイコン４３ｆ、停電アイコン４３ｇが設けられる。各アイコン４３は背後に設けられた多色ＬＥＤの発光によって点灯する。
【００３４】
冷蔵室アイコン４３ａ（貯蔵室アイコン）は冷蔵室３の温度設定時に点灯するとともに冷蔵室３の異常温度時に点灯して報知する。冷凍室アイコン４３ｂ（貯蔵室アイコン）は冷凍室４の温度設定時に点灯するとともに冷凍室４の異常温度時に点灯して報知する。イオン発生モードアイコン４３ｃはイオン発生装置１６を駆動するイオン発生モードの設定時に点灯するとともに運転時に点灯して報知する。
【００３５】
急速冷凍モードアイコン４３ｄは通常時よりも冷凍室４を急速で冷却する急速冷凍モードの設定時に点灯するとともに運転時に点灯して報知する。バケーションモードアイコン４３ｅはダンパ１５を閉じて冷凍室４のみの冷却を行うバケーションモードの設定時に点灯するとともに運転時に点灯して報知する。チャイルドロックアイコン４３ｆは操作部４５による入力を禁止するチャイルドロックの設定時に点灯するとともに実行時に点灯して報知する。
【００３６】
停電アイコン４３ｇは詳細を後述するように停電発生後の電源復帰時に冷蔵室３及び冷凍室４の一方または両方が所定の報知温度よりも高温の時に点灯して報知する。この時、報知温度よりも高温になった冷蔵室３や冷凍室４に対応する冷蔵室アイコン４３ａ及び冷凍室アイコン４３ｂの一方または両方が同時に点灯して報知する。加えて、点灯装置３２（図２参照）も同時に点灯して報知し、後述するブザー２３（図４参照）が同時に鳴動して報知する。従って、冷蔵室アイコン４３ａ、冷凍室アイコン４３ｂ、停電アイコン４３ｇ、点灯装置３２及びブザー２３は停電の電源復帰時に報知を行う停電報知部を構成する。
【００３７】
尚、冷蔵庫１の出荷時には停電アイコン４３ｇを含む停電報知部による報知を行う停電報知モードがオフ設定されている。停電報知モードのオン設定は使用者の操作によって行うことができず、後述するように冷蔵室３または冷凍室４が所定の報知温度よりも低温になるとオン設定される。
【００３８】
操作部４５にはセレクトキー４５ａ、設定キー４５ｂ、４５ｃ、決定キー４５ｄが設けられる。セレクトキー４５ａが押下されると、各アイコン４３が順に点灯して各アイコン４３に対応する設定温度や運転モードの設定待機状態となる。設定待機状態は操作部４５の操作が所定時間行われない場合に解除される。
【００３９】
設定キー４５ｂ、４５ｃは設定温度や運転モードを設定する。例えば、設定キー４５ｂの押下によって設定温度が増加され、運転モードがオン設定される。設定キー４５ｃの押下によって設定温度が減少され、運転モードがオフ設定される。決定キー４５ｄは設定キー４５ｂ、４５ｃによる設定状態を記憶部２５（図４参照）に記憶させる。
【００４０】
図４は冷蔵庫１の構成を示すブロック図である。冷蔵庫１は各部を制御する制御部２０を有している。制御部２０には圧縮機１０、送風機１２、ダンパ１５、イオン発生装置１６、除霜ヒータ１７、冷蔵室温度センサ２１、冷凍室温度センサ２２、操作パネル４０、点灯装置３２、ブザー２３、人体センサ２４、記憶部２５、時計部２６が接続される。
【００４１】
除霜ヒータ１７は冷却器１１（図１参照）の下方に配され、冷却器１１の着霜を除霜する。冷蔵室温度センサ２１（温度検知部）は冷蔵室３内の温度を検知する。冷凍室温度センサ２２（温度検知部）は冷凍室４内の温度を検知する。ブザー２３は冷蔵庫１の停電発生等の異常状態を鳴動により報知する。人体センサ２４は冷蔵庫１の近傍の人体の存否を検知する。
【００４２】
記憶部２５はＲＡＭ及びＲＯＭから成り、冷蔵庫１の動作プログラムを格納するとともに制御部２０による演算の一時記憶を行う。時計部２６は電池２７により電力供給され、時刻を出力する。時計部２６が電池２７から電力供給されるため、停電後の電源復帰時に制御部２０が正確に時刻を認識することができる。
【００４３】
図５、図６は冷蔵庫１の通常運転時の動作を示すフローチャートである。冷蔵庫１に商用電源から電力供給が開始されると、記憶部２５に記憶された動作プログラムが実行されて以下の動作が行われる。ステップ＃１１では記憶部２５に記憶されるフラグＦが１か否かが判断される。フラグＦは停電報知モードがオフ設定の場合に０が代入され、オン設定されると１が代入される。冷蔵庫１の出荷時にはフラグＦが０になっている。
【００４４】
フラグＦが１の場合はステップ＃１２に移行し、フラグＦが０の場合はステップ＃２１に移行する。ステップ＃２１では圧縮機１０及び送風機１２が駆動される。ステップ＃２２ではダンパ１５が開かれる。これにより、冷蔵室３及び冷凍室４の冷却が開始される。ステップ＃２３では冷蔵室温度センサ２１の検知によって冷蔵室３の温度Ｔｒが所定の報知温度（本実施形態では１０℃）以下になったか否かが判断される。
【００４５】
冷蔵室３の温度Ｔｒが１０℃よりも高温の場合はステップ＃２４に移行する。ステップ＃２４では冷凍室温度センサ２２の検知によって冷凍室４の温度Ｔｆが所定の報知温度（本実施形態では−１０℃）以下になったか否かが判断される。冷凍室４の温度Ｔｆが−１０℃よりも高温の場合はステップ＃２３に戻り、ステップ＃２３、＃２４が繰り返される。
【００４６】
冷蔵室３の温度Ｔｒが１０℃以下になった場合または冷凍室４の温度Ｔｆが−１０℃以下になった場合はステップ＃２５に移行する。ステップ＃２５では停電報知モードがオン設定され、ステップ＃２６でフラグＦに１が代入される。そして、図６のステップ＃３１に移行する。
【００４７】
ステップ＃１１の判断でフラグＦが１の場合はステップ＃１２で記憶部２５に記憶される変数ｉが初期化される。変数ｉは停電から電源復帰した電力供給の開始時に冷蔵室３が報知温度（１０℃）よりも高温の場合に１が加算され、冷凍室４が報知温度（−１０℃）よりも高温の場合に２が加算される。
【００４８】
ステップ＃１３では冷蔵室３の温度Ｔｒが報知温度（１０℃）よりも高温か否かが判断される。冷蔵室３の温度Ｔｒが報知温度以下の場合はステップ＃１５に移行する。冷蔵室３の温度Ｔｒが報知温度よりも高温の場合はステップ＃１４で変数ｉに１が加算される。ステップ＃１５では冷凍室４の温度Ｔｆが報知温度（−１０℃）よりも高温か否かが判断される。冷凍室４の温度Ｔｆが報知温度以下の場合はステップ＃１７に移行する。冷凍室４の温度Ｔｆが報知温度よりも高温の場合はステップ＃１６で変数ｉに２が加算される。
【００４９】
ステップ＃１３〜＃１６によって冷蔵室３及び冷凍室４が報知温度以下の場合は変数ｉが０となる。冷蔵室３が報知温度よりも高温であり、冷凍室４が報知温度以下の場合は変数ｉが１となる。冷蔵室３が報知温度以下であり、冷凍室４が報知温度よりも高温である場合は変数ｉが２となる。冷蔵室３及び冷凍室４が報知温度よりも高温の場合は変数ｉが３となる。
【００５０】
ステップ＃１７では変数ｉが０よりも大きいか否かが判断される。変数ｉが０の場合はステップ＃１９に移行する。変数ｉが０よりも大きい場合はステップ＃１８で停電報知部による停電報知が開始される。
【００５１】
この時、変数ｉが１の時は冷蔵室アイコン４３ａが点灯し、冷凍室アイコン４３ｂが消灯する。変数ｉが２の時は冷蔵室アイコン４３ａが消灯し、冷凍室アイコン４３ｂが点灯する。変数ｉが３の時は冷蔵室アイコン４３ａ及び冷凍室アイコン４３ｂが点灯する。
【００５２】
また、冷蔵室３の温度Ｔｒや冷凍室４の温度Ｔｆに応じて冷蔵室アイコン４３ａ、冷凍室アイコン４３ｂまたは点灯装置３２の点灯色を可変してもよい。例えば、報知温度に対して２℃以内の場合は緑色、２℃〜４℃の場合は橙色、４℃以上の場合は赤色等に可変することができる。
【００５３】
また、冷蔵室３の温度Ｔｒや冷凍室４の温度Ｔｆに応じて冷蔵室アイコン４３ａ、冷凍室アイコン４３ｂまたは点灯装置３２を点滅して点灯周期を可変してもよい。例えば、報知温度に対して２℃以内の場合は１秒の点灯周期、２℃〜４℃の場合は０．５秒の点灯周期、４℃以上の場合は０．１秒の点灯周期に可変することができる。
【００５４】
また、冷蔵室３の温度Ｔｒや冷凍室４の温度Ｔｆに応じてブザー２３の鳴動周期を可変してもよい。例えば、報知温度に対して２℃以内の場合は１秒の鳴動周期、２℃〜４℃の場合は０．５秒の鳴動周期、４℃以上の場合は０．１秒の鳴動周期に可変することができる。
【００５５】
停電報知部のブザー２３は所定時間（例えば、１時間）が経過すると停止される。また、ブザー２３は時計部２６で出力される時刻に応じて夜間の所定時間で停止される。これにより、使用者の留守中にブザー２３の鳴動が継続することや、夜間にブザー２３が鳴動することによる近隣の迷惑を防止することができる。
【００５６】
また、人体センサ２４による人体の検知時に停電報知部による報知が行われ、人体の非検知時に停電報知部による報知が停止される。これにより、省電力化を図ることができる。
【００５７】
尚、停電報知部による停電報知は操作部４５（図３参照）のいずれかの操作キーの押下によって停止することができる。
【００５８】
ステップ＃１９では圧縮機１０及び送風機１２が駆動される。ステップ＃２０ではダンパ１５が開かれる。これにより、冷蔵室３及び冷凍室４の冷却が開始され、図６のステップ＃３１に移行する。
【００５９】
ステップ＃３１では冷蔵室３の温度Ｔｒが所定の下限温度（本実施形態では３℃）よりも低下したか否かが判断される。冷蔵室３の温度Ｔｒが下限温度以上の場合はステップ＃３５に移行する。冷蔵室３の温度Ｔｒが下限温度よりも低下すると、ステップ＃３２に移行する。
【００６０】
ステップ＃３２では冷凍室４の温度Ｔｆが所定の下限温度（本実施形態では−２０℃）よりも低下したか否かが判断される。冷凍室４の温度Ｔｆが下限温度よりも低下すると、ステップ＃３３で圧縮機１０及び送風機１２が停止される。これにより、冷蔵室３及び冷凍室４の冷気供給が停止される。冷凍室４の温度Ｔｆが下限温度以上の場合はステップ＃３４でダンパが閉じられる。これにより、冷蔵室３の冷気供給が停止され、冷凍室４の冷気供給が継続する。
【００６１】
ステップ＃３５では冷蔵室３の温度Ｔｒが所定の上限温度（本実施形態では５℃）よりも上昇したか否かが判断される。冷蔵室３の温度Ｔｒが上限温度よりも上昇すると、ステップ＃３７でダンパ１５が開かれる。そして、ステップ＃３８で圧縮機１０及び送風機１２が駆動される。これにより、冷蔵室３に冷気が供給される。
【００６２】
ステップ＃３５の判断で冷蔵室３の温度Ｔｒが上限温度以下の場合はステップ＃３６に移行する。ステップ＃３６では冷凍室４の温度Ｔｆが上限温度（本実施形態では−１８℃）よりも上昇したか否かが判断される。冷凍室４の温度Ｔｆが上限温度以下の場合はステップ＃３９に移行する。
【００６３】
冷凍室４の温度Ｔｆが上限温度よりも上昇した場合はステップ＃３８で圧縮機１０及び送風機１２駆動される。これにより、冷凍室４に冷気が供給される。
【００６４】
ステップ＃３９では前回の除霜運転から所定時間が経過したか否かが判断される。所定時間が経過していない場合はステップ＃３１に戻る。所定時間が経過した場合はステップ＃４０で除霜ヒータ１７の駆動によって冷却器１１の着霜を除霜する除霜運転が行われる。そして、ステップ＃３１に戻り、ステップ＃３１〜＃４０が繰り返し行われる。
【００６５】
本実施形態によると、商用電源による電力供給が開始された際に冷蔵室温度センサ２１や冷凍室温度センサ２２（温度検知部）により検知される冷蔵室３または冷凍室４の温度が報知温度よりも高温の場合に停電報知部により報知する。これにより、停電の電源復帰時に貯蔵物の損傷が発生していない低温の場合に報知が行われず、貯蔵物の損傷が発生した可能性がある場合に報知が行われる。このため、瞬時電圧低下が頻繁に発生する地域において使用者が停電発生毎に対応を判断する必要がなく、冷蔵庫１の利便性を向上することができる。
【００６６】
また、停電報知モードを出荷時にオフ設定し、冷蔵室３の温度Ｔｒまたは冷凍室４の温度Ｔｆが報知温度よりも低温になった際に停電報知モードをオン設定するので、出荷後の最初の電源供給時の停電報知を防止することができる。従って、冷蔵庫１の利便性をより向上することができる。尚、停電報知モードのオン設定を報知温度以下の所定温度よりも低温になった際に行ってもよい。また、出荷後の最初に除霜運転が行われた際に停電報知モードをオン設定してもよい。
【００６７】
また、人体センサ２４による人体の非検知時に停電報知部よる報知を停止するので、省電力化を図ることができる。
【００６８】
また、冷蔵室３が報知温度よりも高温になった際に冷蔵室アイコン４３ａと停電アイコン４３ｇとを点灯して停電報知を行い、冷凍室４が報知温度よりも高温になった際に冷凍室アイコン４３ｂと停電アイコン４３ｇとを点灯して停電報知が行われる。これにより、使用者は高温になった貯蔵室を容易に認知することができ、冷蔵庫１の利便性をより向上することができる。
【００６９】
また、停電報知部が点灯装置３２によって使用者が把持する際に目の届きやすいハンドル３１に沿って点灯して報知するので、使用者が容易に停電を認知することができる。また、人体センサ２４をオフ設定すると、使用者が離れた位置から容易に停電を認知することができる。
【００７０】
また、冷蔵室温度センサ２１または冷凍室温度センサ２２の検知温度に応じて停電報知部の点灯色または点灯周期を可変したので、使用者が冷蔵室３や冷凍室４の温度状態をより正確に認知することができる。
【００７１】
また、電池２７により電力供給される時計部２６を備え、夜間の所定時間内でブザー２３の鳴動を停止するので、近隣の迷惑を防止することができる。
【００７２】
また、冷蔵室温度センサ２１または冷凍室温度センサ２２の検知温度に応じてブザー２３の鳴動周期を可変したので、使用者が冷蔵室３や冷凍室４の温度状態をより正確に認知することができる。
【産業上の利用可能性】
【００７３】
本発明によると、一時停電の復帰時に報知を行う冷蔵庫に利用することができる。
【符号の説明】
【００７４】
１    冷蔵庫
２    断熱箱体
３    冷蔵室
３ａ、４ａ、５ａ  扉
４    冷凍室
５    野菜室
６    機械室
７    第１冷気通路
８    第２冷気通路
１０    圧縮機
１１    冷却器
１２    送風機
１５    ダンパ
１６    イオン発生装置
１７    除霜ヒータ
２０    制御部
２１    冷蔵室温度センサ
２２    冷凍室温度センサ
２３    ブザー
２４    人体センサ
２５    記憶部
２６    時計部
２７    電池
３０    扉本体部
３１    ハンドル
３２    点灯装置
３３    光源
３４    導光部材
４０    操作パネル
４１    表示部
４２    表示パネル
４３ａ  冷蔵室アイコン
４３ｂ  冷凍室アイコン
４３ｇ  停電アイコン
４５    操作部
【図１】
0005856497.tif 000002
【図２】
0005856497.tif 000003
【図３】
0005856497.tif 000004
【図４】
0005856497.tif 000005
【図５】
0005856497.tif 000006
【図６】
0005856497.tif 000007